(57)【要約】【課題】タッチパネルの配線の一部と各画素の輪郭線の一部との干渉に起因するモアレが存在する領域の面積を低減する。【解決手段】ＸＹ面において配線ＷＲ１の一部と各画素の輪郭を示す輪郭線ＢＬ２の一部とが重なるように、タッチパネル１０と表示面３０ａとが透明樹脂ＴＲ１により接続される。ＸＹ面において、輪郭線ＢＬ２を視認するための光である可視光ＬＴ１の一部に干渉する位置に、光に干渉する粒子８ｎが設けられる。【選択図】図２
2016143268.tif 000002
【特許請求の範囲】
【請求項１】
液晶表示装置であって、
透光性を有するタッチパネルと、
液晶表示モジュールと、を備え、
前記液晶表示モジュールは、映像を表示するための複数の画素から構成される表示面を有し、
前記タッチパネルには、不透明な配線が設けられ、
前記タッチパネルが前記表示面を覆い、かつ、平面視において前記配線の一部と前記各画素の輪郭を示す不透明な輪郭線の一部とが重なるように、当該タッチパネルと当該表示面とが透明樹脂により接続され、
平面視において、前記輪郭線を視認するための光である第１可視光の一部に干渉する位置、または、前記配線を視認するための光である第２可視光の一部に干渉する位置であって、かつ、前記液晶表示装置内の位置に、光に干渉する粒子が少なくとも１つ設けられる
液晶表示装置。
【請求項２】
前記粒子は、前記第１可視光の一部に干渉する位置である干渉位置に設けられ、
前記液晶表示モジュールは、
少なくとも前記透明樹脂に向けて、前記映像を生成するために使用される光を出射する発光装置を含み、
前記第１可視光は、前記発光装置が出射した前記光が少なくとも前記輪郭線を通過することにより生成される光であり、
前記干渉位置は、前記透明樹脂の内部の位置、または、当該透明樹脂の表面上の位置である
請求項１に記載の液晶表示装置。
【請求項３】
前記粒子は、平面視において当該粒子が前記輪郭線の一部と重なる位置である前記干渉位置に設けられる
請求項２に記載の液晶表示装置。
【請求項４】
前記輪郭線は、平面視において平行に設けられる複数の単線を含み、
前記粒子は、平面視において前記複数の単線の間の領域内である前記干渉位置に設けられる
請求項２に記載の液晶表示装置。
【請求項５】
前記粒子は、前記第２可視光の一部に干渉する位置である別の干渉位置に設けられ、
前記タッチパネルは、
板状のガラスと、
基板と、
前記ガラスと前記基板とを接続する別の透明樹脂と、を含み、
前記液晶表示モジュールは、
少なくとも前記別の透明樹脂に向けて、前記映像を生成するために使用される光を出射する発光装置を含み、
前記第２可視光は、前記発光装置が出射した前記光が少なくとも前記輪郭線および前記配線を通過することにより生成される光であり、
前記別の干渉位置は、前記別の透明樹脂の内部の位置、または、当該別の透明樹脂の表面上の位置である
請求項１に記載の液晶表示装置。
【請求項６】
前記粒子は、平面視において当該粒子が前記輪郭線の一部と重なる位置である前記別の干渉位置に設けられる
請求項５に記載の液晶表示装置。
【請求項７】
前記輪郭線は、平面視において平行に設けられる複数の単線を含み、
前記粒子は、平面視において前記複数の単線の間の領域内である前記別の干渉位置に設けられる
請求項５に記載の液晶表示装置。
【請求項８】
前記粒子は、透明な材料で構成される
請求項１，２，３，５，６のいずれか１項に記載の液晶表示装置。
【請求項９】
前記粒子は、白色の材料で構成される
請求項１，２，３，５，６のいずれか１項に記載の液晶表示装置。
【請求項１０】
前記粒子は、黒色の材料で構成される
請求項１から７のいずれか１項に記載の液晶表示装置。
【発明の詳細な説明】
【技術分野】
【０００１】
本発明は、タッチパネルを使用した液晶表示装置に関する。
【背景技術】
【０００２】
多くの技術分野において、ノート型のＰＣ（Personal Computer）、テレビ、携帯電話等の、液晶表示装置の応用製品が開発されている。近年では、液晶表示装置の表示面にタッチパネルを設けた、入力機能を有する当該液晶表示装置が普及している。当該液晶表示装置は、ＧＵＩ（Graphical User Interface）を有する。そのため、当該液晶表示装置は、スマートフォン、タブレット端末、ＦＡ（Factory Automation）機器等において、入力機能を有さない液晶表示装置よりも、用途の広い製品として使用されている。
【０００３】
タッチパネルを設けた液晶表示装置では、当該液晶表示装置の構成によっては、映像を表示している際のぎらつきが目立つ。特許文献１では、タッチパネルに使用可能な、ぎらつきを抑える光学フィルムが開示されている。
【先行技術文献】
【特許文献】
【０００４】
【特許文献１】特開２００９−２５８７２０号公報（段落０２１２）
【発明の概要】
【発明が解決しようとする課題】
【０００５】
従来、液晶表示装置では、抵抗膜方式、静電容量方式等のタッチパネルが主に使用されていた。静電容量方式のタッチパネルでは、ＩＴＯ（Indium Tin Oxide）から構成される透明配線が使用される。近年では、液晶表示装置において、低抵抗な材料である不透明な配線を用いたタッチパネルを使用した構成（以下、「構成Ｎ」ともいう）が増えている。
【０００６】
構成Ｎでは、一般的に、タッチパネルが、液晶表示装置に含まれる液晶表示モジュールの表示面を覆うように設けられる。そのため、構成Ｎでは、平面視において、液晶表示モジュールの表示面を構成する各画素の輪郭線の一部と、タッチパネルの配線の一部との干渉状態（重なり状態）によっては、モアレが発生する場合がある。
【０００７】
本発明は、このような問題を解決するためになされたものであり、タッチパネルの配線の一部と各画素の輪郭線の一部との干渉に起因するモアレが存在する領域の面積を低減することが可能な液晶表示装置を提供することを目的とする。
【課題を解決するための手段】
【０００８】
上記目的を達成するために、本発明の一態様に係る液晶表示装置は、透光性を有するタッチパネルと、液晶表示モジュールと、を備え、前記液晶表示モジュールは、映像を表示するための複数の画素から構成される表示面を有し、前記タッチパネルには、不透明な配線が設けられ、前記タッチパネルが前記表示面を覆い、かつ、平面視において前記配線の一部と前記各画素の輪郭を示す不透明な輪郭線の一部とが重なるように、当該タッチパネルと当該表示面とが透明樹脂により接続され、平面視において、前記輪郭線を視認するための光である第１可視光の一部に干渉する位置、または、前記配線を視認するための光である第２可視光の一部に干渉する位置であって、かつ、前記液晶表示装置内の位置に、光に干渉する粒子が少なくとも１つ設けられる。
【発明の効果】
【０００９】
本発明によれば、平面視において前記配線の一部と前記各画素の輪郭を示す輪郭線の一部とが重なるように、当該タッチパネルと当該表示面とが透明樹脂により接続される。また、平面視において、前記輪郭線を視認するための光である第１可視光の一部に干渉する位置に、光に干渉する粒子が設けられる。
【００１０】
そのため、粒子が、輪郭線を視認するための第１可視光の一部に干渉する。したがって、輪郭線の一部がぼやけて視認されるようになる。その結果、平面視において、配線の一部と、輪郭線のうちぼやけて視認される当該輪郭線の一部とが重なる部分におけるモアレの発生を抑制することができる。
【００１１】
これにより、タッチパネルの配線の一部と各画素の輪郭線の一部との干渉に起因するモアレが存在する領域の面積を低減することができる。
【図面の簡単な説明】
【００１２】
【図１】本発明の実施の形態１に係る液晶表示装置の外観を示す斜視図である。
【図２】本発明の実施の形態１に係る液晶表示装置の断面図である。
【図３】配線の一部を示す図である。
【図４】輪郭線の一部を示す図である。
【図５】本発明の実施の形態１の変形例１に係る液晶表示装置の断面図である。
【図６】本発明の実施の形態１の変形例１における粒子の配置状態を示す図である。
【図７】本発明の実施の形態１の変形例２に係る液晶表示装置の断面図である。
【図８】本発明の実施の形態２に係る液晶表示装置の断面図である。
【発明を実施するための形態】
【００１３】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１４】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１５】
＜実施の形態１＞
図１は、本発明の実施の形態１に係る液晶表示装置１００の外観を示す斜視図である。図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００１６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。図２は、本発明の実施の形態１に係る液晶表示装置１００の断面図である。
【００１７】
図１および図２を参照して、液晶表示装置１００は、タッチパネル１０と、液晶表示モジュール２０と、透明樹脂ＴＲ１とを備える。
【００１８】
透明樹脂ＴＲ１は、例えば、透明なゲルで構成される。透明樹脂ＴＲ１の形状は、シート状である。透明樹脂ＴＲ１は、透明樹脂ＴＲａと、透明樹脂ＴＲｂとから構成される。すなわち、透明樹脂ＴＲ１は、２層で構成される。透明樹脂ＴＲａは、透明樹脂ＴＲｂ上に設けられる。
【００１９】
タッチパネル１０は、ユーザーが、当該タッチパネル１０に対して行うタッチ操作を受付けるパネルである。タッチパネル１０は、当該タッチ操作を検出するためのセンシング領域を有する。タッチパネル１０は、例えば、静電容量方式のタッチパネルである。また、タッチパネル１０は、透光性を有する。
【００２０】
タッチパネル１０は、ガラス１１と、透明樹脂ＴＲ２と、配線ＷＲ１と、基板１２とを含む。基板１２は、透光性を有する。基板１２の表面上には、配線ＷＲ１が設けられる。なお、配線ＷＲ１が設けられる位置は、基板１２の表面上に限定されない。配線ＷＲ１は、例えば、基板１２のうち当該基板１２の表面部分に設けられてもよい。すなわち、配線ＷＲ１は、基板１２の内部に設けられてもよい。
【００２１】
図３は、配線ＷＲ１の一部（以下、「単位配線」ともいう）を示す図である。図３を参照して、配線ＷＲ１は、図３に示される単位配線が、ＸＹ面において行列状に配置されることにより構成される。行列状に配置される各単位配線のＸ軸方向およびＹ軸方向の長さ（周期）は、例えば、約７００μｍである。すなわち、配線ＷＲ１は、単位配線の配置の周期が約７００μｍである当該単位配線により構成される。
【００２２】
配線ＷＲ１は、複数の単線Ｌ１から構成される。単線Ｌ１は、例えば、アルミで構成される。なお、単線Ｌ１の外面の色は、光の反射率の低減のために、黒色である。すなわち、複数の単線Ｌ１から構成される配線ＷＲ１は、不透明な配線である。つまり、タッチパネル１０には、不透明な配線ＷＲ１が設けられる。
【００２３】
再び、図１および図２を参照して、透明樹脂ＴＲ２は、例えば、透明なゲルである。透明樹脂ＴＲ２の形状は、シート状である。透明樹脂ＴＲ２は、配線ＷＲ１を覆うように、基板１２の上方に設けられる。
【００２４】
ガラス１１は、基板１２等を保護するためのガラスである。ガラス１１の形状は、板状である。ガラス１１は、透光性を有する。ガラス１１は、透明樹脂ＴＲ２上に設けられる。ガラス１１と、配線ＷＲ１とは透明樹脂ＴＲ２により接続される。すなわち、透明樹脂ＴＲ２は、ガラス１１と、配線ＷＲ１が設けられた基板１２とを接続する。
【００２５】
液晶表示モジュール２０は、フレーム２１と、液晶表示パネル３０と、発光装置４０とを含む。フレーム２１は、液晶表示パネル３０および発光装置４０を保持する。フレーム２１は、例えば、金属で構成される。
【００２６】
発光装置４０は、液晶表示パネル３０に向けて光ＬＴｎを出射する光源（バックライト）である。これにより、光ＬＴｎはＺ方向へ伝搬する。光ＬＴｎは、液晶表示パネル３０が映像を生成するために使用される光である。
【００２７】
液晶表示パネル３０は、詳細は後述するが、発光装置４０が出射した光ＬＴｎを使用して、映像を生成する。液晶表示パネル３０は、カラーフィルタ３１と、ＴＦＴ（Thin Film Transistor）基板３２と、封止材３３とを含む。
【００２８】
カラーフィルタ３１とＴＦＴ基板３２とは、封止材３３により接続される。カラーフィルタ３１、ＴＦＴ基板３２および封止材３３により形成される空間には、ブラックマトリクスＢＭ２および液晶（図示）が設けられる。
【００２９】
カラーフィルタ３１は、透光性を有する複数の色材（図示せず）を含む。当該各色材は、当該色材を透過する光を色光として出射する。当該色光は、赤色光、緑色光および青色光のいずれかである。カラーフィルタ３１の一方の面（上面）は、フレーム２１に接する。
【００３０】
ブラックマトリクスＢＭ２は、カラーフィルタ３１の他方の面（下面）に設けられる。ブラックマトリクスＢＭ２は、黒色の材料で構成される。ブラックマトリクスＢＭ２は、複数の画素を形成するように、光ＬＴｎを選択的に遮る。具体的には、ブラックマトリクスＢＭ２は、複数の画素を形成するように、複数の開口が設けられる。当該各開口が設けられたブラックマトリクスＢＭ２は、当該各画素の輪郭を示す不透明な輪郭線ＢＬ２でもある。
【００３１】
輪郭線ＢＬ２は、格子状の線である。輪郭線ＢＬ２は、複数の単線Ｌ２から構成される。輪郭線ＢＬ２を構成する複数の単線Ｌ２は、横方向（Ｘ軸方向）に沿った複数の単線Ｌ２と、縦方向（Ｙ軸方向）に沿った複数の単線Ｌ２とを含む。
【００３２】
図４は、輪郭線ＢＬ２の一部を示す図である。なお、図４では、図の簡略化のために、横方向（Ｘ軸方向）に沿った複数の単線Ｌ２は示しておらず、縦方向（Ｙ軸方向）に沿った複数の単線Ｌ２を示す。当該縦方向（Ｙ軸方向）に沿った複数の単線Ｌ２は、平面視（ＸＹ面）において平行に設けられる。
【００３３】
再び、図２を参照して、ＴＦＴ基板３２は、液晶に電界を印加するための制御を行う基板である。液晶表示モジュール２０（液晶表示パネル３０）は、映像を表示するための複数の画素から構成される表示面３０ａを有する。
【００３４】
フレーム２１は、開口Ｈ１を有する。表示面３０ａは、液晶表示パネル３０のカラーフィルタ３１の一方の面のうち、開口Ｈ１により外部に露出する領域である。液晶表示パネル３０は、発光装置４０が出射した光ＬＴｎを使用して、表示面３０ａに表示するための映像を生成する。なお、表示面３０ａのサイズは、例えば、１２．１インチである。また、表示面３０ａの解像度は、例えば、ＸＧＡ（１０２４×７６８）である。
【００３５】
タッチパネル１０と表示面３０ａとは、透明樹脂ＴＲ１により接続される。具体的には、タッチパネル１０が表示面３０ａを覆い、かつ、平面視（ＸＹ面）において配線ＷＲ１の一部と、輪郭線ＢＬ２の一部とが重なるように、当該タッチパネル１０と当該表示面３０ａとが透明樹脂ＴＲ１により接続される。
【００３６】
これにより、発光装置４０が出射する光ＬＴｎが伝搬する方向には、液晶表示パネル３０、透明樹脂ＴＲ１およびタッチパネル１０が存在する。すなわち、発光装置４０は、少なくとも透明樹脂ＴＲ１に向けて、光ＬＴｎを出射する。
【００３７】
そのため、光ＬＴｎは、少なくとも輪郭線ＢＬ２を通過する。以下においては、発光装置４０が出射した光ＬＴｎが少なくとも輪郭線ＢＬ２を通過することにより生成される光を、「可視光ＬＴ１」ともいう。可視光ＬＴ１は、透明樹脂ＴＲ１およびタッチパネル１０を介して、ユーザーの目に到達する。当該ユーザーは、表示面３０ａに表示される映像を視聴しているユーザーである。すなわち、可視光ＬＴ１は、ユーザーが輪郭線ＢＬ２を視認するための光である。
【００３８】
以下においては、配線ＷＲ１の一部と輪郭線ＢＬ２の一部との重なり状態を、「線重なり状態」ともいう。なお、線重なり状態によっては、モアレが発生する場合もある。当該モアレは、配線ＷＲ１の単線Ｌ１で構成される周期的なパターンと、輪郭線ＢＬ２の単線Ｌ２で構成される周期的なパターンとが干渉した状態（以下、「パターン干渉状態」ともいう）において発生する。
【００３９】
そこで、本実施の形態の液晶表示装置１００は、線重なり状態が、仮に、モアレが発生するパターン干渉状態であっても、当該モアレを抑制するための構成（以下、「モアレ抑制構成」ともいう）を有する。以下においては、本実施の形態におけるモアレ抑制構成を、「モアレ抑制構成Ａｎ」ともいう。
【００４０】
次に、モアレ抑制構成Ａｎについて説明する。モアレ抑制構成Ａｎでは、複数の粒子８ｎが、図２のように、透明樹脂ＴＲ１の内部に設けられる。すなわち、当該複数の粒子８ｎは、液晶表示装置１００内の位置に設けられる。
【００４１】
粒子８ｎは、当該粒子８ｎに照射された光を散乱させる粒子である。すなわち、粒子８ｎは、当該粒子８ｎに照射された光に干渉する粒子である。粒子８ｎは、透明な材料で構成される。粒子８ｎの形状は、球状である。粒子８ｎの直径は、例えば、約３μｍである。また、粒子８ｎの光の屈折率は、透明樹脂ＴＲ１の光の屈折率と異なる。
【００４２】
少し具体的には、モアレ抑制構成Ａｎでは、各粒子８ｎは、平面視（ＸＹ面）において、可視光ＬＴ１の一部に干渉する位置（以下、「干渉位置ＬＣａ」ともいう）に設けられる。より具体的には、各粒子８ｎの全てまたは一部は、図４のように、平面視（ＸＹ面）において粒子８ｎが輪郭線ＢＬ２の一部と重なる位置に設けられる。
【００４３】
すなわち、各粒子８ｎの全てまたは一部は、平面視（ＸＹ面）において粒子８ｎが輪郭線ＢＬ２を構成する複数の単線Ｌ２の一部と重なる位置に設けられる。つまり、モアレ抑制構成Ａｎでは、干渉位置ＬＣａは、平面視（ＸＹ面）において粒子８ｎが輪郭線ＢＬ２の一部と重なる位置である。
【００４４】
これにより、図４のように、平面視（ＸＹ面）において、輪郭線ＢＬ２（各単線Ｌ２）のうち、粒子８ｎと重なる部分は、当該重なる部分が、ぼやけて視認されるようになる。すなわち、輪郭線ＢＬ２（各単線Ｌ２）の一部がぼやけて視認されるようになる。これは、球状の粒子８ｎの光の屈折率が、透明樹脂ＴＲ１の光の屈折率と異なることにより、球状の粒子８ｎが凸レンズのように機能するためである。
【００４５】
また、平面視（ＸＹ面）において、輪郭線ＢＬ２（各単線Ｌ２）のうち、粒子８ｎと重なる部分が、ぼやけて視認されるようになることにより、輪郭線ＢＬ２の各単線Ｌ２の配置パターンが不連続な状態となる。このように、輪郭線ＢＬ２（単線Ｌ２）のうち、粒子８ｎが存在する部分の当該輪郭線ＢＬ２（単線Ｌ２）の視認性の微小な変化により、輪郭線ＢＬ２全体が、ぼやけて視認されるようになる。
【００４６】
以上により、平面視（ＸＹ面）において、配線ＷＲ１の一部と、輪郭線ＢＬ２のうちぼやけて視認される当該輪郭線ＢＬ２の一部とが重なる部分におけるモアレの発生を抑制することができる。その結果、配線ＷＲ１の単線Ｌ１で構成される周期的なパターンと、輪郭線ＢＬ２の単線Ｌ２で構成される周期的なパターンとが干渉したパターン干渉状態においても、モアレが存在する領域の面積を低減することができる。
【００４７】
次に、粒子８ｎを干渉位置ＬＣａに設けるための工程について説明する。当該工程は、液晶表示装置１００の製造工程の一部である。まず、液晶表示モジュール２０の表示面３０ａ上に、透明樹脂ＴＲｂが設けられる。
【００４８】
次に、各粒子８ｎを散布するための散布装置が、透明樹脂ＴＲｂ上に、当該各粒子８ｎを散布する。当該散布装置は、例えば、液晶表示装置１００の組み立て工程で使用されるスペーサ散布装置である。これにより、各粒子８ｎの配置状態は、例えば、平面視（ＸＹ面）において、前述した図４のような状態となる。すなわち、粒子８ｎが干渉位置ＬＣａに設けられる。
【００４９】
その後、各粒子８ｎが設けられた透明樹脂ＴＲｂ上に透明樹脂ＴＲａが設けられる。次に、透明樹脂ＴＲａ（透明樹脂ＴＲ１）上に、タッチパネル１０が設けられる。これにより、液晶表示装置１００の製造が終了する。
【００５０】
以上説明したように、本実施の形態によれば、平面視（ＸＹ面）において配線ＷＲ１の一部と各画素の輪郭を示す輪郭線ＢＬ２の一部とが重なるように、タッチパネル１０と表示面３０ａとが透明樹脂ＴＲ１により接続される。また、平面視（ＸＹ面）において、輪郭線ＢＬ２を視認するための光である可視光ＬＴ１の一部に干渉する位置に、光に干渉する粒子８ｎが設けられる。
【００５１】
そのため、粒子８ｎが、輪郭線ＢＬ２を視認するための可視光ＬＴ１の一部に干渉する。したがって、輪郭線ＢＬ２の一部がぼやけて視認されるようになる。その結果、平面視において、配線ＷＲ１の一部と、輪郭線ＢＬ２のうちぼやけて視認される当該輪郭線ＢＬ２の一部とが重なる部分におけるモアレの発生を抑制することができる。
【００５２】
これにより、タッチパネル１０の配線ＷＲ１の一部と各画素の輪郭線ＢＬ２の一部との干渉に起因するモアレが存在する領域の面積を低減することができる。その結果、液晶表示装置１００は、表示面３０ａに表示される映像の品質の劣化を抑制することができる。
【００５３】
また、本実施の形態によれば、前述したように、平面視（ＸＹ面）において、配線ＷＲ１の一部と、輪郭線ＢＬ２のうちぼやけて視認される当該輪郭線ＢＬ２の一部とが重なる部分におけるモアレの発生を抑制することができる。その結果、配線ＷＲ１の単線Ｌ１で構成される周期的なパターンと、輪郭線ＢＬ２の単線Ｌ２で構成される周期的なパターンとが干渉したパターン干渉状態においても、モアレが存在する領域の面積を低減することができる。
【００５４】
また、本実施の形態によれば、不透明な配線ＷＲ１を含むタッチパネル１０と、液晶表示モジュール２０とが、透明樹脂ＴＲ１により接続される構成においても、配線ＷＲ１と各画素の輪郭線ＢＬ２との干渉によるモアレが存在する領域の面積を低減することができる。
【００５５】
以下においては、モアレが存在する領域の面積を、「モアレ面積」ともいう。なお、粒子８ｎの散布密度を調整することにより、モアレ面積の低減効果を調整することが可能である。
【００５６】
また、各粒子８ｎが設けられる位置は、透明樹脂ＴＲ１の内部に限定されない。各粒子８ｎが設けられる位置である干渉位置ＬＣａは、例えば、透明樹脂ＴＲ１の表面上の位置であってもよい。すなわち、各粒子８ｎは、透明樹脂ＴＲ１の表面上に設けられてもよい。
【００５７】
また、本実施の形態では、粒子８ｎの直径は、約３μｍに限定されず、他の値であってもよい。また、粒子８ｎの形状は、完全な球状でなくてもよい。粒子８ｎの形状は、例えば、直方体、楕円状等であってもよい。
【００５８】
また、透明樹脂ＴＲ１を構成する材料は、ゲルに限定されない。透明樹脂ＴＲ１を構成する材料は、透明な材料であれば他の材料であってもよい。
【００５９】
また、透明樹脂ＴＲ１は、２層で構成されず、粒子８ｎの周囲に気泡が入らないように、１層で構成されてもよい。また、透明樹脂ＴＲ１を構成する材料は、粒子８ｎの周囲に気泡が入らないようにすれば、液体状の樹脂であってもよい。
【００６０】
なお、透明樹脂ＴＲ１に設けられる粒子８ｎの数は、複数に限定されず、１であってもよい。
【００６１】
なお、一般に、タッチパネルと液晶表示モジュールとを接続する方法には、以下の方法Ｊがある。方法Ｊは、例えば、液晶表示モジュールの表示面の周辺部に両面テープを貼り、当該表示面上にタッチパネルを固定する方法である。また、方法Ｊは、例えば、液晶表示モジュールの表示面全体に透明樹脂を塗布し、タッチパネルを当該表示面に固定する方法である。
【００６２】
両面テープを使用する上記の方法Ｊでは、表示面において、タッチパネルと液晶表示モジュールとの間に空気が混入する可能性が高い。そのため、両面テープを使用する上記の方法Ｊでは、空気と当該空気に接する部材との界面において反射する光が多く存在する。
【００６３】
一方、透明樹脂を使用する上記の方法Ｊでは、タッチパネルと液晶表示モジュールとの間に空気が混入しないようにすることができる。そのため、空気と当該空気に接する部材との界面における光の反射が抑えられる。したがって、透明樹脂を使用する上記の方法Ｊでは、表示面における光の反射率が低い、視認性が良い液晶表示装置を作ることができる。
【００６４】
大型のタッチパネルにおいても同様に、両面テープ、透明樹脂等を用いて、液晶表示モジュールの表示面上にタッチパネルを固定する方法がとられている。なお、大型のタッチパネルでは、当該タッチパネルのセンシング領域に不透明な配線を設けたものがある。当該不透明な配線を有するタッチパネルと液晶表示モジュールとを、透明樹脂により接続する場合、液晶表示モジュールの表示面を構成する各画素の輪郭線の一部と、タッチパネルの配線の一部との重なり状態によっては、モアレ（干渉模様）が発生する場合があるという問題点がある。
【００６５】
そこで、本実施の形態は上記のように構成されるため、上記の問題点を解決することができる。
【００６６】
＜実施の形態１の変形例１＞
本変形例の構成は、粒子の色を黒色にした構成（以下、「変形構成Ａ１」ともいう）である。以下においては、変形構成Ａ１を適用した液晶表示装置１００を、「液晶表示装置１００Ａ」ともいう。
【００６７】
図５は、本発明の実施の形態１の変形例１に係る液晶表示装置１００Ａの断面図である。液晶表示装置１００Ａは、図２の液晶表示装置１００と比較して、複数の粒子８ｎの代わりに複数の粒子８ｂを含む点が異なる。液晶表示装置１００Ａのそれ以外の構成は、液晶表示装置１００と同様なので詳細な説明は繰り返さない。
【００６８】
粒子８ｂは、粒子８ｎと比較して、黒色の材料で構成される点が異なる。粒子８ｂのそれ以外の構成および機能は、粒子８ｎと同様なので詳細な説明は繰り返さない。以下においては、本実施の形態の変形例１におけるモアレ抑制構成を、「モアレ抑制構成Ａ１」ともいう。
【００６９】
次に、モアレ抑制構成Ａ１について説明する。モアレ抑制構成Ａ１では、複数の粒子８ｂは、図５のように、透明樹脂ＴＲ１の内部に設けられる。すなわち、当該複数の粒子８ｂは、液晶表示装置１００Ａ内の位置に設けられる。
【００７０】
粒子８ｂは、当該粒子８ｂに照射された光を吸収する粒子である。すなわち、粒子８ｂは、当該粒子８ｂに照射された光に干渉する粒子である。また、前述したように、各粒子８ｂは、黒色の材料で構成される。
【００７１】
少し具体的には、モアレ抑制構成Ａ１では、各粒子８ｂは、平面視（ＸＹ面）において、可視光ＬＴ１の一部に干渉する位置（以下、「干渉位置ＬＣａ１」ともいう）に設けられる。
【００７２】
なお、各粒子８ｂは、散布装置により、粒子８ｎと同様に、透明樹脂ＴＲｂ上に散布される。そのため、各粒子８ｂの位置は、ランダムな位置となる。すなわち、各粒子８ｂは、平面視（ＸＹ面）において、輪郭線ＢＬ２の単線Ｌ２で構成される周期的なパターンに対し、不規則に配置される。
【００７３】
これにより、各粒子８ｂの全てまたは一部は、図６のように、平面視（ＸＹ面）において粒子８ｂが輪郭線ＢＬ２の一部と重なる位置に設けられる。すなわち、各粒子８ｂの全てまたは一部は、平面視（ＸＹ面）において粒子８ｂが輪郭線ＢＬ２を構成する複数の単線Ｌ２の一部と重なる位置に設けられる。
【００７４】
また、モアレ抑制構成Ａ１では、各粒子８ｂの全てまたは一部は、図６のように、平面視（ＸＹ面）において複数の単線Ｌ２の間の領域内に設けられる。すなわち、モアレ抑制構成Ａ１では、干渉位置ＬＣａ１は、平面視（ＸＹ面）において粒子８ｂが輪郭線ＢＬ２の一部と重なる位置、および、複数の単線Ｌ２の間の領域内の両方または一方のいずれであってもよい。
【００７５】
これにより、図６のように、平面視（ＸＹ面）において、輪郭線ＢＬ２の単線Ｌ２で構成される周期的なパターンに各粒子８ｂを追加したパターン（模様）は、不規則なパターンとなる。そのため、各粒子８ｂの一部により、輪郭線ＢＬ２を視認するための光である可視光ＬＴ１の一部は、吸収される。したがって、輪郭線ＢＬ２の一部がぼやけて視認されるようになる。
【００７６】
以上により、配線ＷＲ１の単線Ｌ１で構成される周期的なパターンと、輪郭線ＢＬ２の単線Ｌ２で構成される周期的なパターンとが干渉したパターン干渉状態においても、モアレが存在する領域の面積を低減することができる。
【００７７】
以上説明したように、本実施の形態の変形例１によれば、黒色の粒子８ｂを使用したモアレ抑制構成Ａ１においても、実施の形態１と同様な効果を得ることができる。すなわち、実施の形態１と同様、タッチパネル１０の配線ＷＲ１の一部と各画素の輪郭線ＢＬ２の一部との干渉に起因するモアレが存在する領域の面積を低減することができる。
【００７８】
なお、本実施の形態の変形例１においても、粒子８ｂの散布密度を調整することにより、モアレ面積の低減効果を調整することが可能である。
【００７９】
また、各粒子８ｂが設けられる位置は、透明樹脂ＴＲ１の内部に限定されない。各粒子８ｂが設けられる位置である干渉位置ＬＣａ１は、例えば、透明樹脂ＴＲ１の表面上の位置であってもよい。すなわち、各粒子８ｂは、透明樹脂ＴＲ１の表面上に設けられてもよい。
【００８０】
また、本実施の形態では、粒子８ｂの直径は、約３μｍに限定されず、他の値であってもよい。また、粒子８ｂの形状は、完全な球状でなくてもよい。粒子８ｂの形状は、例えば、直方体、楕円状等であってもよい。また、粒子８ｂの色は、黒に限定されず、暗い色であれば、他の色（例えば、灰色）であってもよい。
【００８１】
また、透明樹脂ＴＲ１は、２層で構成されず、粒子８ｂの周囲に気泡が入らないように、１層で構成されてもよい。また、透明樹脂ＴＲ１を構成する材料は、粒子８ｂの周囲に気泡が入らないようにすれば、液体状の樹脂であってもよい。また、透明樹脂ＴＲ１に設けられる粒子８ｂの数は、複数に限定されず、１であってもよい。
【００８２】
＜実施の形態１の変形例２＞
本変形例の構成は、粒子の色を白色にした構成（以下、「変形構成Ａ２」ともいう）である。以下においては、変形構成Ａ２を適用した液晶表示装置１００を、「液晶表示装置１００Ｂ」ともいう。
【００８３】
図７は、本発明の実施の形態１の変形例２に係る液晶表示装置１００Ｂの断面図である。液晶表示装置１００Ｂは、図２の液晶表示装置１００と比較して、複数の粒子８ｎの代わりに複数の粒子８ｗを含む点が異なる。液晶表示装置１００Ｂのそれ以外の構成は、液晶表示装置１００と同様なので詳細な説明は繰り返さない。
【００８４】
粒子８ｗは、粒子８ｎと比較して、白色の材料で構成される点が異なる。粒子８ｗのそれ以外の構成および機能は、粒子８ｎと同様なので詳細な説明は繰り返さない。以下においては、本実施の形態の変形例２におけるモアレ抑制構成を、「モアレ抑制構成Ａ２」ともいう。
【００８５】
次に、モアレ抑制構成Ａ２について説明する。モアレ抑制構成Ａ２では、複数の粒子８ｗは、図７のように、透明樹脂ＴＲ１の内部に設けられる。すなわち、当該複数の粒子８ｗは、液晶表示装置１００Ｂ内の位置に設けられる。
【００８６】
粒子８ｗは、当該粒子８ｗに照射された光を散乱させる粒子である。すなわち、粒子８ｗは、当該粒子８ｗに照射された光に干渉する粒子である。また、前述したように、各粒子８ｗは、白色の材料で構成される。
【００８７】
少し具体的には、モアレ抑制構成Ａ２では、各粒子８ｗは、平面視（ＸＹ面）において、可視光ＬＴ１の一部に干渉する位置（以下、「干渉位置ＬＣａ２」ともいう）に設けられる。
【００８８】
なお、各粒子８ｗは、散布装置により、粒子８ｎと同様に、透明樹脂ＴＲｂ上に散布される。そのため、各粒子８ｗの位置は、ランダムな位置となる。すなわち、各粒子８ｗは、輪郭線ＢＬ２の単線Ｌ２で構成される周期的なパターンに対し、不規則に配置される。
【００８９】
これにより、各粒子８ｗの全てまたは一部は、例えば、図４のように、平面視（ＸＹ面）において粒子８ｗが輪郭線ＢＬ２の一部と重なる位置に設けられる。すなわち、各粒子８ｗの全てまたは一部は、平面視（ＸＹ面）において粒子８ｗが輪郭線ＢＬ２を構成する複数の単線Ｌ２の一部と重なる位置に設けられる。
【００９０】
また、モアレ抑制構成Ａ２では、各粒子８ｗの全てまたは一部は、平面視（ＸＹ面）において複数の単線Ｌ２の間の領域内に設けられる。すなわち、モアレ抑制構成Ａ２では、干渉位置ＬＣａ２は、平面視（ＸＹ面）において粒子８ｗが輪郭線ＢＬ２の一部と重なる位置、および、複数の単線Ｌ２の間の領域内の両方または一方のいずれであってもよい。
【００９１】
これにより、平面視（ＸＹ面）において、輪郭線ＢＬ２の単線Ｌ２で構成される周期的なパターンに各粒子８ｗを追加したパターン（模様）は、不規則なパターンとなる。そのため、各粒子８ｗの一部により、輪郭線ＢＬ２を視認するための光である可視光ＬＴ１の一部は、散乱する。すなわち、輪郭線ＢＬ２を視認するための光である可視光ＬＴ１の一部は、各粒子８ｗの一部に干渉する。
【００９２】
したがって、輪郭線ＢＬ２の一部がぼやけて視認されるようになる。また、液晶表示装置１００Ｂが、明るい環境で使用される場合、外光が、白色の粒子８ｗで反射する。これにより、表示面３０ａが全体的に白くぼける。
【００９３】
以上から、輪郭線ＢＬ２の単線Ｌ２で構成される周期的なパターンを不規則なパターンにする作用と、表示面３０ａが全体的に白くぼける作用とにより、輪郭線ＢＬ２の一部がぼやけて視認されるようになる。
【００９４】
以上により、配線ＷＲ１の単線Ｌ１で構成される周期的なパターンと、輪郭線ＢＬ２の単線Ｌ２で構成される周期的なパターンとが干渉したパターン干渉状態においても、モアレが存在する領域の面積を低減することができる。
【００９５】
以上説明したように、本実施の形態の変形例２によれば、白色の粒子８ｗを使用したモアレ抑制構成Ａ２においても、実施の形態１と同様な効果を得ることができる。すなわち、実施の形態１と同様、タッチパネル１０の配線ＷＲ１の一部と各画素の輪郭線ＢＬ２の一部との干渉に起因するモアレが存在する領域の面積を低減することができる。
【００９６】
なお、本実施の形態の変形例２においても、粒子８ｗの散布密度を調整することにより、モアレ面積の低減効果を調整することが可能である。
【００９７】
また、各粒子８ｗが設けられる位置は、透明樹脂ＴＲ１の内部に限定されない。各粒子８ｗが設けられる位置である干渉位置ＬＣａ２は、例えば、透明樹脂ＴＲ１の表面上の位置であってもよい。すなわち、各粒子８ｗは、透明樹脂ＴＲ１の表面上に設けられてもよい。
【００９８】
また、本実施の形態では、粒子８ｗの直径は、約３μｍに限定されず、他の値であってもよい。また、粒子８ｗの形状は、完全な球状でなくてもよい。粒子８ｗの形状は、例えば、直方体、楕円状等であってもよい。
【００９９】
また、透明樹脂ＴＲ１は、２層で構成されず、粒子８ｗの周囲に気泡が入らないように、１層で構成されてもよい。また、透明樹脂ＴＲ１を構成する材料は、粒子８ｗの周囲に気泡が入らないようにすれば、液体状の樹脂であってもよい。また、透明樹脂ＴＲ１に設けられる粒子８ｗの数は、複数に限定されず、１であってもよい。
【０１００】
＜実施の形態２＞
本実施の形態は、粒子を、タッチパネル１０の透明樹脂ＴＲ２に設けた構成（以下、「変形構成Ｃ」ともいう）である。以下においては、変形構成Ｃを適用した液晶表示装置１００を、「液晶表示装置１００Ｃ」ともいう。また、以下においては、実施の形態１、実施の形態１の変形例１，２における、粒子８ｎ，８ｂ，８ｗの各々を、総括的に、「粒子８」ともいう。
【０１０１】
図８は、本発明の実施の形態２に係る液晶表示装置１００Ｃの断面図である。液晶表示装置１００Ｃは、図２の液晶表示装置１００と比較して、複数の粒子８が、透明樹脂ＴＲ１の代わりに透明樹脂ＴＲ２に設けられている点が異なる。液晶表示装置１００Ｃのそれ以外の構成は、液晶表示装置１００と同様なので詳細な説明は繰り返さない。
【０１０２】
なお、発光装置４０は、前述したように、液晶表示パネル３０に向けて光ＬＴｎをＺ方向へ出射する。これにより、発光装置４０が出射する光ＬＴｎが伝搬する方向には、液晶表示パネル３０、透明樹脂ＴＲ１およびタッチパネル１０が存在する。すなわち、発光装置４０は、少なくとも透明樹脂ＴＲ２（タッチパネル１０）に向けて、光ＬＴｎを出射する。
【０１０３】
また、前述したように、光ＬＴｎが少なくとも輪郭線ＢＬ２を通過することにより生成される光は、可視光ＬＴ１である。そのため、可視光ＬＴ１は、透明樹脂ＴＲ１、および、配線ＷＲ１が設けられた基板１２を通過する。
【０１０４】
以下においては、可視光ＬＴ１が、透明樹脂ＴＲ１、および、配線ＷＲ１が設けられた基板１２を通過することにより生成される光を、「可視光ＬＴ２」ともいう。なお、可視光ＬＴ１は、前述したように、光ＬＴｎが少なくとも輪郭線ＢＬ２を通過することにより生成される光である。そのため、可視光ＬＴ２は、光ＬＴｎが少なくとも輪郭線ＢＬ２および配線ＷＲ１を通過することにより生成される光である。
【０１０５】
可視光ＬＴ２は、透明樹脂ＴＲ２およびガラス１１を介して、ユーザーの目に到達する。当該ユーザーは、表示面３０ａに表示される映像を視聴しているユーザーである。すなわち、可視光ＬＴ２は、ユーザーが配線ＷＲ１を視認するための光である。
【０１０６】
粒子８は、前述の粒子８ｎ，８ｂ，８ｗのいずれかである。以下においては、本実施の形態におけるモアレ抑制構成を、「モアレ抑制構成Ｃ」ともいう。また、以下においては、粒子８が前述の粒子８ｎである状態のモアレ抑制構成Ｃを、「モアレ抑制構成Ｃｎ」ともいう。
【０１０７】
次に、モアレ抑制構成Ｃｎについて説明する。モアレ抑制構成Ｃｎでは、実施の形態１のモアレ抑制構成Ａｎと同様、複数の粒子８ｎは、図８のように、透明樹脂ＴＲ２の内部に設けられる。すなわち、当該複数の粒子８ｎは、液晶表示装置１００Ｃ内の位置に設けられる。
【０１０８】
少し具体的には、モアレ抑制構成Ｃｎでは、各粒子８ｎは、可視光ＬＴ２の一部に干渉する位置（以下、「干渉位置ＬＣｂ」ともいう）に設けられる。より具体的には、各粒子８ｎの全てまたは一部は、図４のように、平面視（ＸＹ面）において粒子８ｎが輪郭線ＢＬ２の一部と重なる位置に設けられる。
【０１０９】
すなわち、各粒子８ｎの全てまたは一部は、平面視（ＸＹ面）において粒子８ｎが輪郭線ＢＬ２を構成する複数の単線Ｌ２の一部と重なる位置に設けられる。つまり、モアレ抑制構成Ｃｎでは、干渉位置ＬＣｂは、平面視（ＸＹ面）において粒子８ｎが輪郭線ＢＬ２の一部と重なる位置である。
【０１１０】
これにより、モアレ抑制構成Ｃｎでは、実施の形態１のモアレ抑制構成Ａｎと同様の効果が得られる。すなわち、平面視（ＸＹ面）において、配線ＷＲ１の一部と、輪郭線ＢＬ２のうちぼやけて視認される当該輪郭線ＢＬ２の一部とが重なる部分におけるモアレの発生を抑制することができる。
【０１１１】
その結果、配線ＷＲ１の単線Ｌ１で構成される周期的なパターンと、輪郭線ＢＬ２の単線Ｌ２で構成される周期的なパターンとが干渉したパターン干渉状態においても、モアレが存在する領域の面積を低減することができる。すなわち、タッチパネル１０の配線ＷＲ１の一部と各画素の輪郭線ＢＬ２の一部との干渉に起因するモアレが存在する領域の面積を低減することができる。
【０１１２】
なお、モアレ抑制構成Ｃｎにおいても、粒子８ｎの散布密度を調整することにより、モアレ面積の低減効果を調整することが可能である。また、モアレ抑制構成Ｃｎにおいて、各粒子８ｎが設けられる位置は、透明樹脂ＴＲ２の内部に限定されない。各粒子８ｎが設けられる位置である干渉位置ＬＣｂは、例えば、透明樹脂ＴＲ２の表面上の位置であってもよい。すなわち、各粒子８ｎは、透明樹脂ＴＲ２の表面上に設けられてもよい。また、透明樹脂ＴＲ２に設けられる粒子８ｎの数は、複数に限定されず、１であってもよい。
【０１１３】
以下においては、粒子８が前述の粒子８ｂである状態のモアレ抑制構成Ｃを、「モアレ抑制構成Ｃｂ」ともいう。
【０１１４】
次に、モアレ抑制構成Ｃｂについて説明する。モアレ抑制構成Ｃｂでは、実施の形態１の変形例１のモアレ抑制構成Ａ１と同様、複数の粒子８ｂは、図８のように、透明樹脂ＴＲ２の内部に設けられる。すなわち、当該複数の粒子８ｂは、液晶表示装置１００Ｃ内の位置に設けられる。
【０１１５】
少し具体的には、モアレ抑制構成Ｃｂでは、各粒子８ｂは、可視光ＬＴ２の一部に干渉する位置（以下、「干渉位置ＬＣｂ１」ともいう）に設けられる。
【０１１６】
なお、モアレ抑制構成Ｃｂにおける各粒子８ｂは、モアレ抑制構成Ａ１と同様に配置される。すなわち、各粒子８ｂは、平面視（ＸＹ面）において、輪郭線ＢＬ２の単線Ｌ２で構成される周期的なパターンに対し、不規則に配置される。
【０１１７】
これにより、各粒子８ｂの全てまたは一部は、図６のように、平面視（ＸＹ面）において粒子８ｂが輪郭線ＢＬ２の一部と重なる位置に設けられる。すなわち、各粒子８ｂの全てまたは一部は、平面視（ＸＹ面）において粒子８ｂが輪郭線ＢＬ２を構成する複数の単線Ｌ２の一部と重なる位置に設けられる。
【０１１８】
また、モアレ抑制構成Ｃｂでは、各粒子８ｂの全てまたは一部は、図６のように、平面視（ＸＹ面）において複数の単線Ｌ２の間の領域内に設けられる。すなわち、モアレ抑制構成Ｃｂでは、干渉位置ＬＣｂ１は、平面視（ＸＹ面）において粒子８ｂが輪郭線ＢＬ２の一部と重なる位置、および、複数の単線Ｌ２の間の領域内の両方または一方のいずれであってもよい。
【０１１９】
これにより、モアレ抑制構成Ｃｂでは、実施の形態１の変形例１のモアレ抑制構成Ａ１と同様の効果が得られる。すなわち、タッチパネル１０の配線ＷＲ１の一部と各画素の輪郭線ＢＬ２の一部との干渉に起因するモアレが存在する領域の面積を低減することができる。
【０１２０】
なお、モアレ抑制構成Ｃｂにおいても、粒子８ｂの散布密度を調整することにより、モアレ面積の低減効果を調整することが可能である。また、モアレ抑制構成Ｃｂにおいて、各粒子８ｂが設けられる位置は、透明樹脂ＴＲ２の内部に限定されない。各粒子８ｎが設けられる位置である干渉位置ＬＣｂ１は、例えば、透明樹脂ＴＲ２の表面上の位置であってもよい。すなわち、各粒子８ｂは、透明樹脂ＴＲ２の表面上に設けられてもよい。また、透明樹脂ＴＲ２に設けられる粒子８ｂの数は、複数に限定されず、１であってもよい。
【０１２１】
以下においては、粒子８が前述の粒子８ｗである状態のモアレ抑制構成Ｃを、「モアレ抑制構成Ｃｗ」ともいう。
【０１２２】
次に、モアレ抑制構成Ｃｗについて説明する。モアレ抑制構成Ｃｗでは、実施の形態１の変形例２のモアレ抑制構成Ａ２と同様、複数の粒子８ｗは、図８のように、透明樹脂ＴＲ２の内部に設けられる。すなわち、当該複数の粒子８ｗは、液晶表示装置１００Ｃ内の位置に設けられる。
【０１２３】
少し具体的には、モアレ抑制構成Ｃｗでは、各粒子８ｗは、可視光ＬＴ２の一部に干渉する位置（以下、「干渉位置ＬＣｂ２」ともいう）に設けられる。
【０１２４】
なお、モアレ抑制構成Ｃｗにおける各粒子８ｗは、モアレ抑制構成Ａ２と同様に配置される。すなわち、すなわち、各粒子８ｗは、輪郭線ＢＬ２の単線Ｌ２で構成される周期的なパターンに対し、不規則に配置される。
【０１２５】
これにより、各粒子８ｗの全てまたは一部は、例えば、図４のように、平面視（ＸＹ面）において粒子８ｗが輪郭線ＢＬ２の一部と重なる位置に設けられる。すなわち、各粒子８ｗの全てまたは一部は、平面視（ＸＹ面）において粒子８ｗが輪郭線ＢＬ２を構成する複数の単線Ｌ２の一部と重なる位置に設けられる。
【０１２６】
また、モアレ抑制構成Ｃｗでは、実施の形態１の変形例２のモアレ抑制構成Ａ２と同様、各粒子８ｗの全てまたは一部は、平面視（ＸＹ面）において複数の単線Ｌ２の間の領域内に設けられる。すなわち、モアレ抑制構成Ｃｗでは、干渉位置ＬＣｂ２は、平面視（ＸＹ面）において粒子８ｗが輪郭線ＢＬ２の一部と重なる位置、および、複数の単線Ｌ２の間の領域内の両方または一方のいずれであってもよい。
【０１２７】
これにより、モアレ抑制構成Ｃｗでは、実施の形態１の変形例２のモアレ抑制構成Ａ２と同様の効果が得られる。すなわち、タッチパネル１０の配線ＷＲ１の一部と各画素の輪郭線ＢＬ２の一部との干渉に起因するモアレが存在する領域の面積を低減することができる。
【０１２８】
なお、モアレ抑制構成Ｃｗにおいても、粒子８ｗの散布密度を調整することにより、モアレ面積の低減効果を調整することが可能である。また、モアレ抑制構成Ｃｗにおいて、各粒子８ｗが設けられる位置は、透明樹脂ＴＲ２の内部に限定されない。各粒子８ｎが設けられる位置である干渉位置ＬＣｂ２は、例えば、透明樹脂ＴＲ２の表面上の位置であってもよい。すなわち、各粒子８ｗは、透明樹脂ＴＲ２の表面上に設けられてもよい。また、透明樹脂ＴＲ２に設けられる粒子８ｗの数は、複数に限定されず、１であってもよい。
【０１２９】
以上説明したように、本実施の形態によれば、粒子８を、タッチパネル１０内の透明樹脂ＴＲ２に設けた構成においても、前述のモアレ抑制構成Ｃｎ，Ｃｂ，Ｃｗのように、実施の形態１、実施の形態１の変形例１，２と同様な効果が得られる。すなわち、タッチパネル１０の配線ＷＲ１の一部と各画素の輪郭線ＢＬ２の一部との干渉に起因するモアレが存在する領域の面積を低減することができる。
【０１３０】
なお、本発明は、その発明の範囲内において、各実施の形態、実施の形態の各変形例を自由に組み合わせたり、各実施の形態、実施の形態の各変形例を適宜、変形、省略することが可能である。
【符号の説明】
【０１３１】
８，８ｂ，８ｎ，８ｗ  粒子、１０  タッチパネル、１１  ガラス、１２  基板、２０  液晶表示モジュール、３０  液晶表示パネル、３０ａ  表示面、４０  発光装置、１００，１００Ａ，１００Ｂ，１００Ｃ  液晶表示装置、ＢＬ２  輪郭線、ＢＭ２  ブラックマトリクス、Ｌ１，Ｌ２  単線、ＴＲ１，ＴＲ２，ＴＲａ，ＴＲｂ  透明樹脂、ＷＲ１  配線。
【図１】
2016143268.tif 000003
【図２】
2016143268.tif 000004
【図３】
2016143268.tif 000005
【図４】
2016143268.tif 000006
【図５】
2016143268.tif 000007
【図６】
2016143268.tif 000008
【図７】
2016143268.tif 000009
【図８】
2016143268.tif 000010